(57)【要約】【課題】部材数の削減及び現場での省施工性が図られたデッキの取付構造を提供する。【解決手段】支持体と床板とを備えるデッキを既設デッキに取付ける取付構造は、既設デッキの脚部材１１１から所定距離離間した位置で施工地盤Ｇに立設された脚部材１１３と、脚部材１１３の上に配設された水平方向に延びる第１フレーム１２２と、既設デッキの脚部材１１１に取り付けられた水平方向に延びる第２フレーム１２３と、第１フレーム１２２の上方と第２フレーム１２３の上方とに亘って形成された床板とを備え、第２フレーム１２３は、既設デッキの脚部材１１１に接して脚部材１１１に結合される結合壁部１２３ｃと、結合壁部１２３ｃの上端部から既設デッキ外方側かつ上方に斜めに延びる傾斜壁部１２３ｆと、傾斜壁部１２３ｆの外方端部から既設デッキ内方側に水平に延びてパネル１４１の台部材１４３が載置される載置壁部１２３ｘとを一体に有する。【選択図】図１１
2016044442.tif 000002
【特許請求の範囲】
【請求項１】
脚部材の上に形成された支持体と、支持体の上に形成された床板とを備えるデッキを所定の既設物に取り付けるデッキの取り付け構造であって、
上記既設物から所定距離離間した位置で施工地盤に立設された脚部材と、
上記既設物に取り付けられた水平方向に延びるフレーム材と、
上記脚部材の上方と上記フレーム材の上方とに亘って形成された床板とを備え、
上記フレーム材が、
上記既設物に接して上記既設物に結合される結合壁部と、
上記結合壁部の上端部から既設物外方側かつ上方に斜めに延びる傾斜壁部と、
上記傾斜壁部の外方端部から既設物内方側に水平に延びて上記床板の下部材が載置される載置壁部とを一体に有することを特徴とするデッキの取り付け構造。
【請求項２】
請求項１に記載のデッキの取り付け構造において、
上記脚部材の上に配設された水平方向に延びる構造材がさらに備えられ、
上記床板は、上記構造材の上方と上記フレーム材の上方とに亘って形成されていることを特徴とするデッキの取り付け構造。
【請求項３】
請求項１又は２に記載のデッキの取り付け構造において、
上記フレーム材が、
上記載置壁部の内方端部から上方に延び、上記既設物に接して上記既設物に結合される上部結合壁部と、
上記上部結合壁部の上端部から既設物外方側かつ上方に斜めに延び、その外方端部が上記載置壁部に載置された床板の下部材のフレーム材側の端部と当接して上記床板の位置決めをする上部傾斜壁部とをさらに一体に有することを特徴とするデッキの取り付け構造。
【請求項４】
請求項２又は３に記載のデッキの取り付け構造において、
上記構造材とフレーム材とが所定の連結部材で相互に連結されることにより１つの部材にユニット化されていることを特徴とするデッキの取り付け構造。
【請求項５】
請求項１から４のいずれか１項に記載のデッキの取り付け構造において、
上記既設物は、上記デッキよりも高さの高い既設デッキであり、上記フレーム材は、上記既設デッキの脚部材の高さ方向の中間部に取り付けられていることを特徴とするデッキの取り付け構造。
【発明の詳細な説明】
【技術分野】
【０００１】
本発明は、既設物にデッキを取り付ける構造に関する。
【背景技術】
【０００２】
住宅等の建物に設けられるデッキは、施工地盤に脚部材を立設し、脚部材の上に大引を配設し、大引の上に根太を配設して、大引と根太とで格子状の支持体を形成し、この支持体の上にパネルを敷設して床板を形成し、支持体及び床板の周縁部に化粧板としての幕板を取り付けたものである。
【０００３】
このように施工した既設のデッキに例えば庭とのアクセス容易のために高さの低いステプデッキを取り付けることがある。この場合、既設デッキと同様の構成でステップデッキを作ると無駄が多くコストもかかる。そこで、特許文献１に開示の技術の適用が提案される。すなわち、既設デッキの脚部材の高さ方向の中間部に水平方向に延びる根太を設け、この根太と、ステップデッキの高さの低い脚部材の上に配設した根太とに亘ってパネルを敷設してステップデッキの床板を形成するのである。これによれば、ステップデッキの取り付けに際し、脚部材の増加を抑制して、コスト削減が図られるという利点がある。
【先行技術文献】
【特許文献】
【０００４】
【特許文献１】特開平８−１００４６２号公報（特に図４）
【発明の概要】
【発明が解決しようとする課題】
【０００５】
上記特許文献１に開示される技術では、既設物側の根太が金具を用いて既設物に取り付けられるため、部材の数が増え、施工の手間もかかるという不具合がある。
【０００６】
そこで、本発明は、部材数の削減及び現場での省施工性が図られたデッキの取り付け構造の提供を目的とする。
【課題を解決するための手段】
【０００７】
上記課題を解決するためのものとして、本発明は、脚部材の上に形成された支持体と、支持体の上に形成された床板とを備えるデッキを所定の既設物に取り付けるデッキの取り付け構造であって、上記既設物から所定距離離間した位置で施工地盤に立設された脚部材と、上記既設物に取り付けられた水平方向に延びるフレーム材と、上記脚部材の上方と上記フレーム材の上方とに亘って形成された床板とを備え、上記フレーム材が、上記既設物に接して上記既設物に結合される結合壁部と、上記結合壁部の上端部から既設物外方側かつ上方に斜めに延びる傾斜壁部と、上記傾斜壁部の外方端部から既設物内方側に水平に延びて上記床板の下部材が載置される載置壁部とを一体に有することを特徴とする。
【０００８】
本発明によれば、既設物に取り付けるデッキの脚部材の上方と、既設物側のフレーム材の上方とに亘って床板が形成されるので、既設物にデッキを取り付けるに際し、脚部材の増加を抑制して、コスト削減が図られる。
【０００９】
その上で、フレーム材の結合壁部が既設物に接して結合されるので、フレーム材は金具等用いずに既設物に取り付けられる。そのため、部材数の増大が抑制される。しかも、フレーム材は、結合壁部の上端部から既設物外方側に延びて載置壁部に連続する部分が既設物外方側ほど上方に傾斜する傾斜壁部とされているから、結合壁部を既設物に結合しようとする際、結合壁部を斜め上方から無理なく目視することができ、またツールを斜め上方から無理なく差し入れることができる。そのため、フレーム材の既設物への取り付け作業が円滑・容易に行われる。これにより、部材数の削減及び現場での省施工性が図られたデッキの取り付け構造が提供される。
【００１０】
本発明においては、上記脚部材の上に配設された水平方向に延びる構造材がさらに備えられ、上記床板は、上記構造材の上方と上記フレーム材の上方とに亘って形成されていることが好ましい。
【００１１】
この構成によれば、既設物に取り付けるデッキの脚部材側の構造材の上方と、既設物側のフレーム材の上方とに亘って床板が形成されるので、この場合も、既設物にデッキを取り付けるに際し、脚部材の増加を抑制して、コスト削減が図られる。
【００１２】
本発明においては、上記フレーム材が、上記載置壁部の内方端部から上方に延び、上記既設物に接して上記既設物に結合される上部結合壁部と、上記上部結合壁部の上端部から既設物外方側かつ上方に斜めに延び、その外方端部が上記載置壁部に載置された床板の下部材のフレーム材側の端部と当接して上記床板の位置決めをする上部傾斜壁部とをさらに一体に有することが好ましい。
【００１３】
この構成によれば、フレーム材は、上部結合壁部においても既設物に結合されるので、より一層強固に既設物に取り付けられる。また、この場合においても、金具等用いないので、部材数の増大が抑制される。しかも、フレーム材は、上部結合壁部の上端部から既設物外方側に延びてその外方端部が床板の下部材と当接して床板の位置決めをする部分が既設物外方側ほど上方に傾斜する上部傾斜壁部とされているから、上部結合壁部を既設物に結合しようとする際、上部結合壁部を斜め上方から無理なく目視することができ、またツールを斜め上方から無理なく差し入れることができる。そのため、この場合においても、フレーム材の既設物への取り付け作業が円滑・容易に行われる。
【００１４】
本発明においては、上記構造材とフレーム材とが所定の連結部材で相互に連結されることにより１つの部材にユニット化されていることが好ましい。
【００１５】
この構成によれば、より一層部材数の削減及び現場での省施工性が図られる。
【００１６】
本発明においては、上記既設物は、上記デッキよりも高さの高い既設デッキであり、上記フレーム材は、上記既設デッキの脚部材の高さ方向の中間部に取り付けられていることが好ましい。
【００１７】
この構成によれば、既設デッキに高さの低いステップデッキを取り付ける場合に、部材数の削減及び現場での省施工性が図られる。
【発明の効果】
【００１８】
本発明によれば、部材数の削減及び現場での省施工性が図られたデッキの取り付け構造が提供されるので、例えば、既設デッキに別のデッキを取り付ける場合や、家屋の縁側にデッキを取り付ける場合等に有用である。
【図面の簡単な説明】
【００１９】
【図１】本発明の実施形態に係る既設デッキの斜視図である。
【図２】図１の状態から幕板を外し、かつ既設デッキの左側部にステップデッキの脚部材及び第１支持ユニットを配設した状態を示す部分拡大斜視図である。
【図３】図２の状態からさらに既設デッキの前側部にステップデッキの脚部材及び第２支持ユニットを配設した状態を示す部分拡大斜視図である。
【図４】図３の状態からさらにステップデッキの支持体に第１パネル及び第２パネルを敷設した状態を示す部分拡大斜視図である。
【図５】図４の状態からさらに支持体及び床板の周縁部に幕板を取り付けた状態を示す部分拡大斜視図である。
【図６】上記ステップデッキで用いられる第１支持ユニットの（ａ）は平面図、（ｂ）は側面図、（ｃ）は正面図である。
【図７】上記ステップデッキで用いられる第２支持ユニットの（ａ）は平面図、（ｂ）は側面図、（ｃ）は正面図である。
【図８】上記ステップデッキで用いられる第１パネルの（ａ）は平面図、（ｂ）は側面図である。
【図９】上記ステップデッキで用いられる第２パネルの（ａ）は平面図、（ｂ）は側面図である。
【図１０】上記第１支持ユニット及び第２支持ユニットの第２フレームの（ａ）は側面図、（ｂ）は既設デッキ外方側からの斜視図、（ｃ）は既設デッキ内方側からの斜視図である。
【図１１】図５の矢印Ａによる拡大縦断面図である。
【図１２】図５の矢印Ｂによる拡大縦断面図である。
【発明を実施するための形態】
【００２０】
（１）構成
本実施形態では、図１に示す既設デッキ１に、図５に示すように、高さの低いステップデッキ１１が取り付けられる。なお、図中のＬは左を示し、Ｆは前を示す。
【００２１】
図１に示すように、既設デッキ１は、施工地盤Ｇに立設された複数の脚部材１１１と、脚部材１１１の上に形成された支持体２と、支持体２の上に形成された床板３と、支持体２及び床板３の周縁部に取り付けられた化粧板としての幕板（デッキの側面に取り付けられる平幕板６１及びコーナー部に取り付けられるコーナー幕板６２）とを有する。なお、デッキ１の建物Ｈ側は幕板６１，６２が不要なので取り付けられていない。
【００２２】
この既設デッキ１にステップデッキ１１を取り付ける手順を説明する。まず、図２及び図３に示すように、既設デッキ１の周囲にステップデッキ１１の高さの低い脚部材１１３を配置する。ステップデッキ１１の脚部材１１３は、既設デッキ１から、より詳しくは、既設デッキ１の高さの高い脚部材１１１から水平方向に所定距離離間した位置において施工地盤Ｇに立設される。
【００２３】
次いで、脚部材１１３に対応してステップデッキ１１の第１支持ユニット１２１及び第２支持ユニット１３１（後述、図６及び図７参照）を配置する。その場合、各支持ユニット１２１，１３１の第１フレーム（本発明の「構造材」に相当する）１２２，１３２が水平方向に延びて脚部材１１３の上に配設され、各支持ユニット１２１，１３１の第２フレーム（本発明の「フレーム材」に相当する）１２３が水平方向に延びて既設デッキ１の脚部材１１１の高さ方向の中間部に結合される。これにより、脚部材１１３の上に支持体１２が形成される。
【００２４】
次いで、図４に示すように、ステップデッキ１１の第１パネル１４１及び第２パネル１５１（後述、図８及び図９参照）を支持ユニット１２１，１３１、つまり支持体１２に敷設する。これにより、支持体１２の上に床板１３が形成される。
【００２５】
そして、図５に示すように、支持ユニット１２１，１３１（支持体１２）及びパネル１４１，１５１（床板１３）の周縁部に平幕板６１及びコーナー幕板６２を取り付けてステップデッキ１１が完成する。
【００２６】
このようにステップデッキ１１を既設デッキ１に取り付けることにより、デッキ１から庭へのアクセス及び庭からデッキ１へのアクセスが容易となり、デッキ１の利便性が向上する。
【００２７】
（１−１）脚部材
脚部材１１３は、例えば図１１及び図１２に示すように、施工地盤Ｇと接する基部１１３ａと、支持ユニット１２１，１３１の第１フレーム１２２，１３２が載置される四角柱状の支持部１１３ｂとを含む。支持部１１３ｂは、基部１１３ａに対して螺合しており、回転することにより高さ調節が可能である。
【００２８】
（１−２）第１支持ユニット
第１支持ユニット１２１は、図６に示すように、相互に平行に配置された第１フレーム１２２及び第２フレーム１２３と、同じく相互に平行に配置された一対の第３フレーム（本発明の「連結部材」に相当する）１２４，１２４とで、平面視矩形状に形成される。すなわち、第１フレーム１２２と第２フレーム１２３とが第３フレーム１２４で相互に連結されることにより１つの第１支持ユニット１２１にユニット化される。第１支持ユニット１２１は、図２に示すように、既設デッキ１の左右側部に配設され、図４に示すように、第１パネル１４１が敷設される。
【００２９】
第１フレーム１２２は、図１１にも示すように、断面ロ字状の大引部１２２ａと、大引部１２２ａの下面に垂設されたフランジ部１２２ｂと、大引部１２２ａの上面に立設された根太部１２２ｃとを備える。大引部１２２ａの下面とフランジ部１２２ｂとで形成される断面コ字状の空間に脚部材１１３の支持部１１３ｂの上端部が嵌入される。大引部１２２ａの上面のうち根太部１２２ｃよりもユニット内方側の部分は、第１パネル１４１の台部材（本発明の「下部材」に相当する）１４３が載置される段部１２２ｘを形成する。
【００３０】
第２フレーム１２３は、第１フレーム１２２と大きく形状が異なっている。すなわち、第２フレーム１２３は、図１０に示すように、上部結合壁部１２３ａと、下部結合壁部（本発明の「結合壁部」に相当する）１２３ｃと、載置壁部１２３ｘと、傾斜壁部１２３ｆと、上部傾斜壁部１２３ｈとを一体に備える。
【００３１】
下部結合壁部１２３ｃは、既設デッキ１の脚部材１１１の側面に接した状態でビス止め等により既設デッキ１の脚部材１１１に結合される部分であり、上下方向に所定長さ延びる。
【００３２】
傾斜壁部１２３ｆは、下部結合壁部１２３ｃの上端部から既設デッキ外方側かつ上方に斜めに所定長さ延びる。
【００３３】
載置壁部１２３ｘは、第１パネル１４１の台部材１４３が載置される部分であり、傾斜壁部１２３ｆの外方端部からつなぎ壁部１２３ｅを介して既設デッキ内方側に水平に所定長さ延びる。
【００３４】
上部結合壁部１２３ａは、既設デッキ１の脚部材１１１の側面に接した状態でビス止め等により既設デッキ１の脚部材１１１に結合される部分であり、載置壁部１２３ｘの内方端部から上方に所定長さ延びる。
【００３５】
上部傾斜壁部１２３ｈは、上部結合壁部１２３ａの上端部から既設デッキ外方側かつ上方に斜めに所定長さ延び、その外方端部である当接壁部１２３ｉが載置壁部１２３ｘに載置された第１パネル１４１の台部材１４３の第２フレーム１２３側の端部と当接して第１パネル１４１の位置決めをする。
【００３６】
第２フレーム１２３は、さらに、上部結合壁部１２３ａの下端部と下部結合壁部１２３ｃの上端部とを接続する中間壁部１２３ｂと、下部結合壁部１２３ｃの下端部から既設デッキ外方側に水平に所定長さ延びる横壁部１２３ｊと、横壁部１２３ｊの外方端部から下方に所定長さ延びる縦壁部１２３ｋとを一体に備える。
【００３７】
図１１から分かるように、第２フレーム１２３の中間壁部１２３ｂの高さと下部結合壁部１２３ｃの高さとの和は第１フレーム１２２の大引部１２２ａの高さに略等しく、縦壁部１２３ｋの高さは第１フレーム１２２のフランジ部１２２ｂの高さに略等しく、上部結合壁部１２３ａの高さと上部傾斜壁部１２３ｈの高さと当接壁部１２３ｉの高さとの和は第１フレーム１２２の根太部１２２ｃの高さに略等しい。
【００３８】
上部結合壁部１２３ａ及び下部結合壁部１２３ｃが既設デッキ１の脚部材１１１に結合される上下方向の位置、すなわち、第２フレーム１２３が既設デッキ１の脚部材１１１に結合される上下方向の位置は、載置壁部１２３ｘの上面の上下方向の位置が第１フレーム１２２の段部１２２ｘの上下方向の位置と等しくなるように、言い換えると、第１フレーム１２２の段部１２２ｘと第２フレーム１２３の載置壁部１２３ｘとに亘って台部材１４３を介して載置される第１パネル１４１が水平に敷設されるように、脚部材１１３の高さに応じて調整される。
【００３９】
なお、図１１に符号２０１で示すアングル部材は、第２フレーム１２３の上下方向の位置を脚部材１１３の高さになるべく一致させるために既設デッキ１の脚部材１１１の側面に上下動可能に設けられたものである。第２フレーム１２３を脚部材１１１に結合するよりも先にこのアングル部材２０１の上下方向の位置を脚部材１１３の高さに一致させておき、然る後に、第１フレーム１２２を脚部材１１３の上に載置し、第２フレーム１２３を横壁部１２３ｊを介して上記アングル部材２０１の上に載置して、第１支持ユニット１２１全体を配設し固定する。
【００４０】
図１０に示すように、載置壁部１２３ｘの上面に第２フレーム１２３の長手方向に延びる突条１２３ｇが形成されている。この突条１２３ｇは、当接壁部１２３ｉに対応する位置に設けられている。これにより、図１１に示すように、第１フレーム１２２の段部１２２ｘ及び第２フレーム１２３の載置壁部１２３ｘに載置された第１パネル１４１の台部材１４３の第２フレーム１２３側の端部が上方の当接壁部１２３ｉと下方の突条１２３ｇとの双方に当接して確実に位置決めされる。
【００４１】
図６に示すように、第３フレーム１２４は断面Ｌ字に形成され、Ｌ字の長辺がユニット内方側に位置し、短辺の両端部が第１フレーム１２２の段部１２２ｘ及び第２フレーム１２３の載置壁部１２３ｘに結合される。
【００４２】
第１フレーム１２２及び第２フレーム１２３の長手方向の中央位置に、断面コ字状の中間フレーム１２５が架設される。中間フレーム１２５は両端部が第１フレーム１２２の段部１２２ｘ及び第２フレーム１２３の載置壁部１２３ｘに結合される。中間フレーム１２５により、平面視で矩形状の区画領域Ｒ１が２つ第１支持ユニット１２１に形成される。
【００４３】
（１−３）第２支持ユニット
第２支持ユニット１３１は、図７に示すように、相互に平行に配置された第１フレーム１３２及び第２フレーム１２３と、同じく相互に平行に配置された一対の第３フレーム（本発明の「連結部材」に相当する）１３４，１３４とで、平面視矩形状に形成される。すなわち、第１フレーム１３２と第２フレーム１２３とが第３フレーム１３４で相互に連結されることにより１つの第２支持ユニット１３１にユニット化される。第２支持ユニット１３１は、第１支持ユニット１２１よりも、長手方向（第１フレーム１３２及び第２フレーム１２３が延びる方向）の長さが長く設定されている。第２支持ユニット１３１は、図３に示すように、既設デッキ１の前側部に配設され、図４に示すように、第１パネル１４１及び第２パネル１５１が敷設される。
【００４４】
第１フレーム１３２は、図１２にも示すように、断面ロ字状の大引部１３２ａと、大引部１３２ａの下面に垂設されたフランジ部１３２ｂと、大引部１３２ａの上面に立設された根太部１３２ｃとを備える。大引部１３２ａの下面とフランジ部１３２ｂとで形成される断面コ字状の空間に脚部材１１３の支持部１１３ｂの上端部が嵌入される。大引部１３２ａの上面のうち根太部１３２ｃよりもユニット内方側の部分は、第１パネル１４１の台部材１４３及び第２パネル１５１の台部材（本発明の「下部材」に相当する）１５３が載置される段部１３２ｘを形成する。
【００４５】
第２フレーム１２３は、載置壁部１２３ｘに第２パネル１５１の台部材１５３も載置され、上部傾斜壁部１２３ｈの当接壁部１２３ｉ及び突条１２３ｇが第２パネル１５１の台部材１５３とも当接して第２パネル１５１の位置決めもする他は、第１支持ユニット１２１と同様なので、ここでは説明は省略する。
【００４６】
もっとも、上部結合壁部１２３ａ及び下部結合壁部１２３ｃが既設デッキ１の脚部材１１１に結合される上下方向の位置、すなわち、第２フレーム１２３が既設デッキ１の脚部材１１１に結合される上下方向の位置は、載置壁部１２３ｘの上面の上下方向の位置が第１フレーム１３２の段部１３２ｘの上下方向の位置と等しくなるように、言い換えると、第１フレーム１３２の段部１３２ｘと第２フレーム１２３の載置壁部１２３ｘとに亘って台部材１４３，１５３を介して載置される第１パネル１４１及び第２パネル１５１が水平に敷設されるように、脚部材１１３の高さに応じて調整される。
【００４７】
なお、図１２の断面の位置には、図５に矢印Ｂで示すように、既設デッキ１の脚部材１１１が存在しないため、図１２には、既設デッキ１の脚部材１１１及び上記脚部材１１１に設けられるアングル部材２０１が表れていない。しかしながら、第２支持ユニット１３１においても、第１支持ユニット１２１と同様、図１１に符号２０１で示したアングル部材が用いられる。つまり、第２フレーム１２３の上下方向の位置を脚部材１１３の高さになるべく一致させるために既設デッキ１の脚部材１１１の側面にアングル部材２０１が上下動可能に設けられる。そして、第２フレーム１２３を脚部材１１１に結合するよりも先にこのアングル部材２０１の上下方向の位置を脚部材１１３の高さに一致させておき、然る後に、第１フレーム１３２を脚部材１１３の上に載置し、第２フレーム１２３を上記アングル部材２０１の上に載置して、第２支持ユニット１３１全体を配設し固定する。
【００４８】
図７に示すように、第３フレーム１３４は断面Ｌ字に形成され、Ｌ字の長辺がユニット内方側に位置し、短辺の両端部が第１フレーム１３２の段部１３２ｘ及び第２フレーム１２３の載置壁部１２３ｘに結合される。
【００４９】
第１フレーム１３２及び第２フレーム１２３の長手方向の所定位置に、断面コ字状の中間フレーム１３５が２つ架設される。中間フレーム１３５は両端部が第１フレーム１３２の段部１３２ｘ及び第２フレーム１２３の載置壁部１２３ｘに結合される。２つの中間フレーム１３５により、平面視で矩形状の区画領域Ｒ１が２つ連続して第２支持ユニット１３１に形成され、平面視で略正方形状の区画領域Ｒ２が１つ第２支持ユニット１３１の一端部に形成される。
【００５０】
既設デッキ１の左右側部及び前側部で、複数の第１支持ユニット１２１…１２１及び複数の第２支持ユニット１３１…１３１がそれぞれ直列に配置され、さらに相互に直交して配置されることにより、複数の支持ユニット１２１，１３１が全体として１つの支持体１２を形成する（図３参照）。
【００５１】
（１−４）第１パネル
第１パネル１４１は、図８に示すように、床板部材１４２と、床板部材１４２の下面に設けられた一対の台部材１４３とを含む。第１パネル１４１は、図６及び図７に示すように、第１支持ユニット１２１及び第２支持ユニット１３１の矩形状の区画領域Ｒ１に敷設される。
【００５２】
床板部材１４２は、２つの矩形状の床板構成部材１４２ａが連結されて平面視で矩形状に形成されたものである。床板部材１４２の縦の長さ（床板構成部材１４２ａの連結方向の長さ）及び横の長さ（床板構成部材１４２ａの長手方向の長さ）は、床板部材１４２が第１支持ユニット１２１及び第２支持ユニット１３１の矩形状の区画領域Ｒ１を被覆可能な値に設定されている。
【００５３】
台部材１４３は、床板部材１４２の横の長さ方向に所定の間隔で相互に離間し、床板部材１４２の縦の長さ方向にそれぞれ延びるように配置されている。台部材１４３の長さ及び上記間隔は、台部材１４３が上記区画領域Ｒ１内で第１フレーム１２２，１３２の段部１２２ｘ，１３２ｘ及び第２フレーム１２３の載置壁部１２３ｘに載置可能な値に設定されている。
【００５４】
台部材１４３の高さは、第１フレーム１２２，１３２の根太部１２２ｃ，１３２ｃ、第２フレーム１２３の当接壁部１２３ｉ、第３フレーム１２４，１３４、及び中間フレーム１２５，１３５の高さよりも高い値に設定されている。
【００５５】
（１−５）第２パネル
第２パネル１５１は、図９に示すように、床板部材１５２と、床板部材１５２の下面に設けられた一対の台部材１５３とを含む。第２パネル１５１は、第１パネル１４１よりも、横の長さ（床板構成部材１５２ａの長手方向の長さ）が短く設定されている。第２パネル１５１は、図７に示すように、第２支持ユニット１３１の略正方形状の区画領域Ｒ２に敷設される。
【００５６】
床板部材１５２は、２つの矩形状の床板構成部材１５２ａが連結されて平面視で略正方形状に形成されたものである。床板部材１５２の縦の長さ（床板構成部材１５２ａの連結方向の長さ）及び横の長さ（床板構成部材１５２ａの長手方向の長さ）は、床板部材１５２が第２支持ユニット１３１の略正方形状の区画領域Ｒ２を被覆可能な値に設定されている。
【００５７】
台部材１５３は、床板部材１５２の横の長さ方向に所定の間隔で相互に離間し、床板部材１５２の縦の長さ方向にそれぞれ延びるように配置されている。台部材１５３の長さ及び上記間隔は、台部材１５３が上記区画領域Ｒ２内で第１フレーム１３２の段部１３２ｘ及び第２フレーム１２３の載置壁部１２３ｘに載置可能な値に設定されている。
【００５８】
台部材１５３の高さは、第１フレーム１３２の根太部１３２ｃ、第２フレーム１２３の当接壁部１２３ｉ、第３フレーム１３４、及び中間フレーム１３５の高さよりも高い値に設定されている。
【００５９】
第１パネル１４１及び第２パネル１５１が支持体１２の区画領域Ｒ１，Ｒ２に１つずつ嵌め込まれることにより、床板部材１４２，１５２が支持体１２の上面に敷き詰められ、この敷き詰められた複数の床板部材１４２，１５２が全体として１つの床板１３を形成する（図５参照）。
【００６０】
なお、本実施形態では、図１に示したように、既設デッキ１において、床板３を形成するパネルの床板構成部材の長手方向がデッキ１の長手方向に沿うようにパネルが支持体２の上に敷設されているが、これに限らず、支持体２に対するパネルの敷設方向を平面視で９０°ずらすことも可能である。つまり、床板構成部材の連結方向がデッキ１の長手方向に沿うようにパネルを支持体２の上に敷設してもよい。
【００６１】
ここで、図３〜図５から明らかなように、既設デッキ１のコーナー部（図例は左前のコーナー部）には、第２支持ユニット１３１の略正方形状の区画領域Ｒ２が形成された一端部が配置され、この第２支持ユニット１３１の一端部に直交して第１支持ユニット１２１の一端部が突き合わされる。したがって、第１支持ユニット１２１の幅と第２支持ユニット１３１の幅とは相等しく、第２支持ユニット１３１の一端部の区画領域Ｒ２は略正方形状に形成される。
【００６２】
また、これに関連して、図３及び図１２から明らかなように、第１支持ユニット１２１と第２支持ユニット１３１とが突合する位置において、図中符号（ア）を付したステップデッキ１１の高さの低い脚部材１１３は、本来的に第１支持ユニット１２１の第１フレーム１２２を支持しつつ、第２支持ユニット１３１の上記一端部の第２フレーム１２３も支持している。これは、上記脚部材１１３（ア）の位置には、既設デッキ１の脚部材１１１が存在しないからである。そして、図１２は、上記脚部材１１３（ア）を含む位置での断面図であるため（図５の矢印Ｂ参照）、前述したように、図１２には、既設デッキ１の脚部材１１１及び上記脚部材１１１に上下動可能に設けられるアングル部材２０１が表れていない。図１２に示すように、第２支持ユニット１３１の上記一端部の第２フレーム１２３は、横壁部１２３ｊ及び縦壁部１２３ｋが脚部材１１３（ア）の支持部１１３ｂの上部に密着し、横壁部１２３ｊ及び縦壁部１２３ｋを介して脚部材１１３（ア）に下方から支持されている。
【００６３】
（２）作用
以上、図面を参照して詳しく説明したように、本実施形態では、図１に示す既設デッキ１に、図５に示す高さの低いステップデッキ１１が取り付けられる。ステップデッキ１１は、脚部材１１３の上に形成された支持体１２と、支持体１２の上に形成された床板１３とを備える（図４）。脚部材１１３は、既設デッキ１の脚部材１１１から所定距離離間した位置で施工地盤Ｇに立設される（図３）。脚部材１１３の上に、水平方向に延びる第１支持ユニット１２１及び第２支持ユニット１３１の第１フレーム１２２，１３２が配設される。第１フレーム１２２，１３２に対応して、水平方向に延びる第１支持ユニット１２１及び第２支持ユニット１３１の第２フレーム１２３が既設デッキ１の脚部材１１１に取り付けられる。床板１３は、上記第１フレーム１２２，１３２の上方と上記第２フレーム１２３の上方とに亘って形成される。
【００６４】
上記第２フレーム１２３は、図１０に示すように、上記既設デッキ１の脚部材１１１に接して上記脚部材１１１に結合される下部結合壁部１２３ｃと、下部結合壁部１２３ｃの上端部から既設デッキ外方側かつ上方に斜めに延びる傾斜壁部１２３ｆと、傾斜壁部１２３ｆの外方端部から既設デッキ内方側に水平に延びて第１パネル１４１の台部材１４３（図１１）又は第２パネル１５１の台部材１５３（図１２）が載置される載置壁部１２３ｘとを一体に有する。
【００６５】
この構成によれば、既設デッキ１に取り付けるステップデッキ１１の脚部材１１３側の第１フレーム１２２，１３２の上方と、既設デッキ側の第２フレーム１２３の上方とに亘って、床板１３が形成されるので、既設デッキ１にステップデッキ１１を取り付けるに際し、脚部材１１３の増加を抑制して、コスト削減が図られる。
【００６６】
その上で、第２フレーム１２３の下部結合壁部１２３ｃが既設デッキ１の脚部材１１１に接して結合されるので、第２フレーム１２３は金具等用いずに既設デッキ１に取り付けられる。そのため、部材数の増大が抑制される。しかも、第２フレーム１２３は、下部結合壁部１２３ｃの上端部から既設デッキ外方側に延びて載置壁部１２３ｘに連続する部分が既設デッキ外方側ほど上方に傾斜する傾斜壁部１２３ｆとされているから、下部結合壁部１２３ｃを既設デッキ１の脚部材１１１にビス止め等により結合しようとする際、下部結合壁部１２３ｃを斜め上方から無理なく目視することができ、また結合のためのツール（ビス止めツール、図示せず）を斜め上方から無理なく差し入れることができる（図１１及び図１２の矢印Ｘ参照）。そのため、第２フレーム１２３の既設デッキ１への取り付け作業が円滑・容易に行われる。これにより、部材数の削減及び現場での省施工性が図られたデッキの取り付け構造が提供される。
【００６７】
本実施形態では、上記第２フレーム１２３は、図１０に示すように、上記載置壁部１２３ｘの既設デッキ内方端部から上方に延び、上記既設デッキ１の脚部材１１１に接して上記脚部材１１１に結合される上部結合壁部１２３ａと、上部結合壁部１２３ａの上端部から既設デッキ外方側かつ上方に斜めに延び、その外方端部である当接壁部１２３ｉが上記載置壁部１２３ｘに載置された第１パネル１４１の台部材１４３の第２フレーム１２３側の端部（図１１）又は第２パネル１５１の台部材１５３の第２フレーム１２３側の端部（図１２）と当接して上記第１パネル１４１又は第２パネル１５１の位置決めをする上部傾斜壁部１２３ｈとをさらに一体に有する。
【００６８】
この構成によれば、第２フレーム１２３は、上部結合壁部１２３ａにおいても既設デッキ１の脚部材１１１に結合されるので、より一層強固に既設デッキ１に取り付けられる。また、この場合においても、金具等用いないので、部材数の増大が抑制される。しかも、第２フレーム１２３は、上部結合壁部１２３ａの上端部から既設デッキ外方側に延びる部分（その外方端部である当接壁部１２３ｉが第１パネル１４１の台部材１４３又は第２パネル１５１の台部材１５３と当接して第１パネル１４１又は第２パネル１５１の位置決めをする部分）が既設デッキ外方側ほど上方に傾斜する上部傾斜壁部１２３ｈとされているから、上部結合壁部１２３ａを既設デッキ１の脚部材１１１にビス止め等により結合しようとする際、上部結合壁部１２３ａを斜め上方から無理なく目視することができ、また結合のためのツール（ビス止めツール、図示せず）を斜め上方から無理なく差し入れることができる（図１１及び図１２の矢印Ｙ参照）。そのため、この場合においても、第２フレーム１２３の既設デッキ１への取り付け作業が円滑・容易に行われる。
【００６９】
本実施形態では、上記第１フレーム１２２と第２フレーム１２３とが第３フレーム１２４で相互に連結されることにより１つの第１支持ユニット１２１にユニット化され（図６）、上記第１フレーム１３２と第２フレーム１２３とが第３フレーム１３４で相互に連結されることにより１つの第２支持ユニット１３１にユニット化されている（図７）。そのため、より一層部材数の削減及び現場での省施工性が図られる。
【００７０】
（３）変形例
上記実施形態では、既設デッキにステップデッキを取り付けたが、他の既設物、例えば家屋の縁側等にデッキを取り付けてもよい。その場合、第２フレーム１２３は、家屋の基礎等に結合し、部材数の削減及び現場での省施工性が図られたデッキの取り付け構造が提供される。
【００７１】
上記実施形態では、既設物にデッキを１段だけ取り付けたが、同様にして、２段目あるいは３段目のデッキを取り付けることもできる。
【００７２】
上記実施形態では、先に第１支持ユニット１２１を既設デッキ１の左右側部に配設し（図２）、その後、第２支持ユニット１３１を既設デッキ１の前側部に配設したが（図３）、この順番は逆でも構わない。
【００７３】
上記実施形態では、ステップデッキ１１を既設デッキ１の周囲に設けたが、これに限らず、ステップデッキ１１を既設デッキ１の左側部だけ、前側部だけ、あるいは左側部の一部だけ、前側部の一部だけに設けてもよい。
【００７４】
第２フレーム１２３において、横壁部１２３ｊ、縦壁部１２３ｋ、突条１２３ｇは、省略することができる。
【００７５】
また、上記実施形態では、第２フレーム１２３と協働して支持体１２を構成する第１フレーム１２２，１３２を脚部材１１３の上に水平方向に延びるように配設し（すなわち第１フレーム１２２，１３２と第２フレーム１２３とを相互に平行に配設し）、床板１３を上記脚部材１１３の上の第１フレーム１２２，１３２の上方と上記第２フレーム１２３の上方とに亘って形成したが、第１フレームの配設の態様はこれに限られず、様々な態様が可能である。例えば、第１フレームを平面視で第２フレームと直交するようにレイアウトし、一端を脚部材１１３の上に配設し、他端を第２フレームの上に配設又は第２フレームに連結して（すなわち第２フレームで支持して）、これらの脚部材１１３、第２フレーム、及び第１フレームの上方に亘って床板を形成してもよい。また、上記の場合、必ずしも第１フレームを第２フレームと直交（９０°）させなくてもよく、様々な角度（平面視での角度、側面視での角度）で交差させてもよい。あるいは、第１フレームを省略することもできる。例えば、脚部材１１３と第２フレームとだけを用いて、脚部材１１３及び第２フレームの上方に亘って床板を形成してもよく、又は、さらにフレーム以外のプレート材等を用いて、脚部材１１３、第２フレーム、及びプレート材の上方に亘って床板を形成してもよい。
【符号の説明】
【００７６】
１              既設デッキ（既設物）
１１            ステップデッキ（デッキ）
１２            支持体
１３            床板
１１１          既設デッキの脚部材
１１３          脚部材
１２１          第１支持ユニット
１２２，１３２  第１フレーム（構造材）
１２３          第２フレーム（フレーム材）
１２３ａ        上部結合壁部
１２３ｃ        下部結合壁部（結合壁部）
１２３ｆ        傾斜壁部
１２３ｈ        上部傾斜壁部
１２３ｘ        載置壁部
１２４，１３４  第３フレーム（連結部材）
１３１          第２支持ユニット
１４３，１５３  台部材（下部材）
Ｇ              施工地盤
【図１】
2016044442.tif 000003
【図２】
2016044442.tif 000004
【図３】
2016044442.tif 000005
【図４】
2016044442.tif 000006
【図５】
2016044442.tif 000007
【図６】
2016044442.tif 000008
【図７】
2016044442.tif 000009
【図８】
2016044442.tif 000010
【図９】
2016044442.tif 000011
【図１０】
2016044442.tif 000012
【図１１】
2016044442.tif 000013
【図１２】
2016044442.tif 000014